(57)【要約】【課題】組立て可能で保管や運搬を容易な構成とするとともに、安定した放音又は収音が可能な電気音響変換器を提供する。【解決手段】スピーカ１００（電気音響変換器）は、弾性を有する振動板１と、振動板１の振動とその振動に対応する電気信号との変換を行うアクチュエータ２（変換部）と、アクチュエータ２及び振動板１を固定する固定部３とを備え、振動板１は、その振動板１を湾曲させて振動板１の両端部（帯板１５）を重ね合わせたときに谷部１２を形成するとともに、その谷部１２を形成した振動板１の両端部がアクチュエータ２に接続され、振動板１の両端部以外の一部分が固定部３に固定される。【選択図】      図２
2016096454.tif 000002
【特許請求の範囲】
【請求項１】
弾性を有する振動板と、
該振動板の振動と該振動に対応する電気信号との変換を行う変換部と、
前記変換部及び前記振動板を固定する固定部とを備え、
前記振動板は、当該振動板を湾曲させて当該振動板の両端部を重ね合わせたときに谷部を形成するとともに、
前記谷部を形成した前記振動板の両端部が前記変換部に接続され、
前記振動板の両端部以外の一部分が前記固定部に固定される
ことを特徴とする電気音響変換器。
【請求項２】
前記振動板の両端部には、前記谷部が延伸する方向に沿う帯板が設けられることを特徴とする請求項１記載の電気音響変換器。
【請求項３】
前記振動板と前記固定部とは、着脱可能に設けられることを特徴とする請求項１又は２に記載の電気音響変換器。
【請求項４】
前記振動板は、該振動板の谷部が延伸する方向の両端を閉塞する端板が設けられることを特徴とする請求項１から３のいずれか一項に記載の電気音響変換器。
【発明の詳細な説明】
【技術分野】
【０００１】
本発明は、縦割り筒状面を振動させて音を再生するスピーカ又は音を収集するマイクロホンに好適な電気音響変換器に関する。
【背景技術】
【０００２】
音を再生する種々のスピーカの中には、保管や運搬を容易にするために組立て可能に設けられたものがある。
例えば、特許文献１には、音声信号／振動変換装置を収容した箱体の上面に、風船を着脱可能に接合した風船オーディオ装置が開示されている。この風船オーディオ装置は、使用時には、風船を空気等で膨らませて紙等でできた箱体の上面に載置した状態とし、音声信号／振動変換装置から出力される任意の音声信号から変換された振動を風船に共鳴させて周囲に響く音声として出力できるようになっている。一方、製品梱包時や使用しないときには、風船を含めたすべての部材をその箱体に収容可能であり、梱包や収納の利便性を兼ね備えたものとなっている。
【０００３】
また、特許文献２には、電気信号を機械的振動に変換する音源と、その音源上に基端が当接されたロッド状部材と、ロッド状部材の先端に着脱自在に一端が取り付けられて他端が自由端となっている可撓自在な一対の羽根部材とからなるスピーカが開示されている。
【先行技術文献】
【特許文献】
【０００４】
【特許文献１】実用新案登録第３１８５８３８号公報
【特許文献２】特許第４５０５００８号公報
【発明の概要】
【発明が解決しようとする課題】
【０００５】
ところが、特許文献１に開示される風船オーディオ装置は、風船を振動体としているため、振動体自体の形状安定性が乏しく、安定した指向特性を得難い。また、振動体の材質はゴム系に特化され、繰り返し使用用途としては不向きである。さらに、スピーカシステムとして組み上げるに際し、振動体である風船を膨らませる必要があり、組み立てに時間を要するという問題がある。
また、特許文献２に開示されるスピーカにおいては、音源とロッド状部材又はロッド状部材と羽根部材のそれぞれの結合部が不安定であり、音源からの振動伝達性を維持することが難しい。さらに、特許文献２には、可撓自在な羽根部材のしなり状態によって所定の音量が放射されることが記載されているが、羽根部材の両端部は自由端となっており、そのしなり状態を保持することが難しく、安定した音響特性を維持することが難しい構成となっている。
【０００６】
本発明はこのような事情に鑑みてなされたもので、組立て可能で保管や運搬を容易な構成とするとともに、安定した放音又は収音が可能な電気音響変換器を提供することを目的とする。
【課題を解決するための手段】
【０００７】
本発明の電気音響変換器は、弾性を有する振動板と、該振動板の振動と該振動に対応する電気信号との変換を行う変換部と、前記変換部及び前記振動板を固定する固定部とを備え、前記振動板は、当該振動板を湾曲させて当該振動板の両端部を重ね合わせたときに谷部を形成するとともに、前記谷部を形成した前記振動板の両端部が前記変換部に接続され、前記振動板の両端部以外の一部分が前記固定部に固定されることを特徴とする。
【０００８】
この電気音響変換器は、例えば単体では平板状に設けられる振動板を、その両端部を内側に湾曲させて（丸めて）変換部に接続することにより、その振動板の端部どうしの間で谷部を形成して一対の湾曲した振動面を形成する。そして、この状態において、例えば振動板を変換部によって振動させることで音を出すことができ、このように振動板を変換部に接続した状態でスピーカとして機能させることができるようになっている。また、マイクロホンとして使用する場合も、湾曲した振動面を形成した状態で、その振動板の振動を変換部で電気信号に変換して収音することができる。
また、振動板の両端部を変換部から取り外すことで、丸められていた振動板の両端部が開放され、平板状に復元することができる。
このように、本発明の電気音響変換器の振動板は、常時、音を再生又は収音する湾曲した振動面の形状を保つものではなく、使用時において湾曲した振動面を形成して電気音響変換システムとして組立てを行うことができるものである。このため、例えば使用しない時は振動板の両端部を変換部から取り外して平面状に戻すことで収容スペース効率を向上させ、設置や保管のスペースの自由度を広げることができる。また、可搬性も高い電気音響変換器となっていることから、使用場所の自由度も広げることができる。
なお、振動板には、弾性変形領域で繰り返し使用に十分に耐えうる素材を選択できることから、長期使用の信頼性にも優れている。
【０００９】
本発明の電気音響変換器において、前記振動板の両端部には、前記谷部が延伸する方向に沿う帯板が設けられる。
振動板の両端部に帯板を接合し、帯板と変換部とを接続する構成としたので、振動板の両端部が変形せずに一体となって振動して、変換部の振動を振動板の全体へ確実に伝達させることができる。したがって、安定した放音又は収音を行うことができる。
【００１０】
本発明の電気音響変換器において、前記振動板と前記固定部とは、着脱可能に設けられるとよい。
振動板と固定部とを着脱可能に設けることで、振動板を、種々の素材の振動板と交換して用いることができ、振動板の素材による音質の違いを楽しむことができる。
【００１１】
本発明の電気音響変換器において、前記振動板は、該振動板の谷部が延伸する方向の両端を閉塞する端板が設けられるとよい。
端板により振動板の谷部が延伸する方向の両端を閉塞することで、振動面の裏面側から音波が回り込むことを抑制することができるので、振動面の前面から効率的に放音又は収音することができる。
【発明の効果】
【００１２】
本発明によれば、使用時には湾曲した振動面を形成して電気音響変換システムとして機能させることができるとともに、保管時には振動板を平板状に復元する等して保管や運搬を容易に行うことができる。
【図面の簡単な説明】
【００１３】
【図１】本発明の第１実施形態のスピーカの非使用時の状態を示す図であり、（ａ）が斜視図、（ｂ）が側面図である。
【図２】図１のスピーカの使用時の状態を示す図であり、（ａ）が斜視図、（ｂ）が側面図である。
【図３】図１のスピーカの分解斜視図である。
【図４】図２のスピーカの横断面図である。
【図５】本発明の第２実施形態のスピーカを示す斜視図である。
【図６】本発明の第３実施形態のスピーカを示す図であり、（ａ）が斜視図、（ｂ）が側面図である。
【図７】本発明の第４実施形態のスピーカを示す側面図である。
【図８】本発明の第５実施形態のスピーカを示す側面図である。
【図９】本発明の第６実施形態のスピーカを示す側面図であり、（ａ）が使用時、（ｂ）が非使用時の状態である。
【図１０】本発明の第７実施形態のスピーカを示す側面図である。
【発明を実施するための形態】
【００１４】
以下、本発明の電気音響変換器をスピーカに適用した実施形態について図面を参照して説明する。
図１から図４は、本発明の第１実施形態のスピーカ１００を示す。
（スピーカの構成）
この実施形態のスピーカ（電気音響変換器）１００は、可撓性と弾性とを有する振動板１と、この振動板１を往復駆動するアクチュエータ（変換部）２と、これら振動板１及びアクチュエータ２を固定するための固定部３とを備えている。
【００１５】
固定部３は、有底筒状（例えば、図１から図４に示すように有底円筒状）に設けられ、有底筒形状の内側にアクチュエータ２を収納し固定するとともに、振動板１が固定される。
【００１６】
振動板１は、可撓性と弾性を有する材料により所定の形状（例えば、矩形、略長円、または八角形等）の板状に設けられるが、一例として、図１に示すように平面が長方形の形状に形成される。そして、振動板１は、図１に示す振動板１の両端部をアクチュエータ２から離して平板状に展開した非使用時（保管や運搬の時）の形状、及び図２に示す振動板１の両端部をアクチュエータ２に接続して一対の湾曲した振動面１１，１１を形成した使用時の形状の２通りの形状に相互に変換可能とされる。したがって、振動板１は、これらの２つの形状の間で、変形と復元が可能に設けられる。
【００１７】
また、図１に例示するような長方形の振動板１においては、その長手方向（図１（ｂ）のｙ方向、以下、一方向とも称する）が振動板１の湾曲方向とされ、この振動板１の長手方向の両端部に、その長手方向と直交する短手方向（図１（ａ）のｘ方向であり、後述する谷部１２の延伸方向である）に沿って帯板１５が接合される。振動板１の両端部に帯板１５が接合されることにより、振動板１の両端部を重ね合わせてアクチュエータ２に接続してアクチュエータ２で振動板１を駆動した際に、振動板１の両端部における変形が抑制される。
【００１８】
また、図３に示すように、振動板１の中心位置には、振動板１を貫通する貫通孔１７が設けられる。なお、貫通孔１７は、振動板１の中心位置に配置することが好ましいが、中心位置以外に配置してもよい。この貫通孔１７を介してアクチュエータ２と振動板１の両端部とが直接接続され、振動板１の両端部がアクチュエータ２によって駆動される（図２）。
なお、アクチュエータ２の上端部（図４のｚ方向）は、振動板１の両端部がアクチュエータ２のみと接続するように、固定部３の上端部（図４のｚ方向）よりもわずかに上方に位置するように構成される。
【００１９】
また、振動板１は、両端部以外の一部分において固定部３に固定される。固定部３は、図４に示すように、その円筒形状の先端を貫通孔１７に挿入しており、固定部３の円筒形状の先端の側面に振動板１が固定されている。なお、振動板１と固定部３との固定方法は、上記のように振動板１の貫通孔１７に固定部３の円筒形状の先端を挿入して配置する他、固定部３の先端部の端面に振動板１の貫通孔１７の縁部を重ね合わせて配置する等して、振動板１と固定部３とを固定すればよい。
【００２０】
そして、振動板１は、図２及び図４に示すように、その両端部（帯板１５）を内側に湾曲させて、それらの端部を重ね合わせた状態でアクチュエータ２に接続することにより、振動板１の端部どうしの間で谷部１２を形成して一対の湾曲した振動面１１を形成する。また、振動板１は、図１に示すように、振動板１の両端部をアクチュエータ２から取り外すことにより、平板状に復元されるようになっている。
【００２１】
なお、この振動板１においては、一対の湾曲した振動面１１，１１を形成した際に形成される谷部１２の延伸方向が縦方向、谷部１２の深さ方向及び延伸方向の両方向と直交する方向が横方向である。また、以下、本発明を説明するにあたって、図２等に示すように、振動板１の谷部１２の深さ方向をｚ方向、谷部１２の延伸方向をｘ方向（縦方向）、谷部１２の深さ方向（ｚ方向）と延伸方向（ｘ方向）の両方向と直交する方向をｙ方向（横方向）と言い換えて、これらｘｙｚ方向を適宜用いることとする。また、振動板１の表裏は、図１及び図３に示す平板状に展開した非使用時の形状において、ｚ方向のプラス（＋）方向側（図１及び図３では上側）を表側とし、ｚ方向のマイナス（−）方向側（図１及び図３では下側）を裏側として説明を行う。
【００２２】
振動板１の両端部をアクチュエータ２に接続した状態、すなわち振動板１の両端部を内側に湾曲させて、両端部の裏面どうしを重ね合わせてアクチュエータ２に接続することにより湾曲した振動面１１を形成した状態について詳しく説明すると、振動面１１は、図４に示すように、一方向（湾曲した振動面の周方向：横方向：ｙ方向）に湾曲し、その一方向と直交する方向（湾曲した振動面の縦方向：ｘ方向）へは直線状とされる縦割り筒状となる。そして、一対の振動面１１が、その凸となる方向を同じ表面側に向けて並列に配置されるとともに、重ね合わされて隣接する両端部が、縦割り筒状の振動面１１の周方向（ｙ方向）に沿う断面において接線Ｌ１方向を共通にしてアクチュエータ２に接続される。そして、この重ね合わされた振動板１の両端部に沿って、両振動面１１の間に、縦方向（ｘ方向）に沿う直線状の谷部１２が形成される。
なお、上述の縦割り筒状とは、筒状の面の一部を縦割りにして切り取った面状のことである。また、均一な再生音を得るために、両振動面１１を接合部１３の共通の接線Ｌ１に対して線対称に形成することが好ましい。ただし、本発明においては、必ずしも線対称でなくてもよい。
【００２３】
なお、振動板１は、その材質が限定されるものではなく、スピーカの振動板として一般的に用いられる合成樹脂、紙等の可撓性を有する材料を用いることができ、例えば、ポリエチレン、ポリエステルなどの合成樹脂からなるフィルムにより形成される。
また、振動板１は、厚さが一定の等方均質な材料でなくても良い。振動板１の横方向（ｙ方向）への厚さが一定ではなく、溝や突起を設けたり、異方性の材料を採用したりしても良い。これにより、振動板１の材料、材質、形状等を適宜選択することで、所定の曲面の形状を有する振動板１とすることができる。
【００２４】
また、帯板１５は、振動板１よりも剛性の高い材料により形成されることが望ましく、樹脂や金属等の種々の材料を用いることができる。本実施形態においては、帯板１５は鋼、ニッケル、ステンレス等の磁性体材料により形成されており、後述する磁石２７に対して帯板１５が着脱可能に設けられる。そして、これら帯板１５と磁石２７とで、振動板１の両端部とアクチュエータ２とを接続する接続部が構成される。
【００２５】
アクチュエータ２は、振動板１の両端部を支持して、これら端部どうしの間に形成される谷部１２をその深さ方向（ｚ方向）に振動させるものであり、例えばボイスコイルモータを用いることができる。本実施形態においては、アクチュエータ２は、図４に示すように、振動板１の両端部に接続されるボイスコイル２０と、支持部３に固定された磁石機構２１とにより構成される。なお、ボイスコイル２０は、円筒状のボビン２０ａの周りにコイル２０ｂが巻回されたものであり、その直径方向に振動板１の両端部が配置されるように、ボイスコイル２０の上端の直径方向の２箇所に磁石２７が取り付けられている。そして、この磁石２７と、振動板１の両端部に接合された磁性体材料からなる帯板１５とが引き合うことで、振動板１の両端部をボイスコイル２０の上端に接続することができるようになっている。
【００２６】
なお、振動板１の両端部とアクチュエータ２との接続は、磁性体材料からなる帯板１５と磁石２７との組み合わせによる接続部に限定されるものではなく、その他材料の弾性を利用して鉤形状と孔形状とを嵌め込むスナップフィットのような機械的結合を利用した種々の機構を採用することもできる。
【００２７】
そして、このボイスコイル２０の外周部がダンパー２２を介して支持部３に支持されており、ボイスコイル２０は固定部３に対してボイスコイル２０の軸方向（ｚ方向）に沿って往復移動自在に設けられている。なお、ダンパー２２は、一般的なダイナミックスピーカに用いられる材料のものを適用することができる。
【００２８】
磁石機構２１は、環状の磁石２３と、この磁石２３の一方の極に固定されたリング状のアウターヨーク２４と、他方の極に固定されたインナーヨーク２５とを備えており、インナーヨーク２５の中心のポール部２５ａの先端部がアウターヨーク２４内に配置されることにより、これらアウターヨーク２４とインナーヨーク２５との間に、環状に磁気ギャップ２６が形成され、この磁気ギャップ２６内にボイスコイル２０の端部が挿入状態に配置されている。
【００２９】
（スピーカの動作）
このように構成されたスピーカ１００は、上述したように、振動板１の中央部が固定部３に固定された状態とされる一方で、弾性を有する振動板１の両端部がアクチュエータ２と着脱可能に設けられていることから、湾曲状（縦割り筒状）と平面状との間で変形させることができる。すなわち、振動板１の両端部（帯板１５）を内側に湾曲させて、それらの端部を重ね合わせた状態でアクチュエータ２に接続することにより、振動板１の端部どうしの間で谷部１２を形成して縦割り筒状の一対の振動面１１，１１を形成することができる。そして、この状態で振動板１をアクチュエータ２によって振動させることにより音を出すことができ、このように、振動板１の両端部をアクチュエータ２に接続した状態でスピーカとして機能させることができるようになっている。
【００３０】
具体的には、振動板１に固定されたアクチュエータ２のボイスコイル２０に音声信号に応じた駆動電流を流すと、その駆動電流によって生じる磁束変化と、磁気ギャップ２６内の磁界とにより、ボイスコイル２０に駆動電流に応じた駆動力が作用し、磁界と直交する方向（ボイルコイル２０の軸方向、図４では矢印で示す上下方向）にボイスコイル２０が振動する。これにより、このボイスコイル２０に接続されている振動板１が、谷部１２の深さ方向（ｘ方向）に沿って振動し、振動面１１の表面から再生音を放射することができる。
一方、振動板１の両端部をアクチュエータ２から取り外すことにより、湾曲していた振動板１の両端部が開放され、平板状に復元することができる。
【００３１】
このように、このスピーカ１００の振動板１は、常時、音を再生する縦割り筒状の振動面１１の形状を保つものではなく、使用時において湾曲した振動面１１を形成して組立てを行うことができるものである。このため、使用しない時は振動板１の両端部をアクチュエータ２から取り外して平面状に戻すことで収容スペース効率を向上させ、設置や保管のスペースの自由度を広げることができる。また、可搬性も高いスピーカとなっていることから、使用場所の自由度も広げることができる。
なお、振動板１と固定部３とを着脱可能に設けることで、種々の素材の振動板を交換して用いることも可能であり、振動板の素材による音質の違いを楽しむことができる。また、スピーカ１００の振動板１には、弾性変形領域で繰り返し使用に十分に耐えうる素材を選択できることから、長期使用の信頼性にも優れている。
【００３２】
さらに、スピーカ１００では、振動板１の両端部に帯板１５を接合し、帯板１５とアクチュエータ２とを接続する構成としたので、振動板１の両端部が変形せずに一体となって振動して、アクチュエータ２の振動を振動板１の全体へ確実に伝達させることができ、安定した放音を行うことができる。
【００３３】
（他の実施例）
図５〜図１０は、他の実施形態のスピーカを示している。これらの実施形態において、構成要素の一部は第１実施形態と同じものが用いられるので、各図において、第１実施形態と共通要素には同一符号を付して説明を簡略化する。
【００３４】
図５に示す第２実施形態のスピーカ２００の振動板１には、振動板１の両端部をアクチュエータ２に接続して湾曲した振動面１１を形成した使用時の状態において、その振動板１の谷部１２が延伸する方向（ｘ方向）の両端を閉塞する端板４が設けられる。また、両端板４は、振動面１１の往復移動を阻害することがないように、振動面１１との間に僅かな隙間（図示略）を設けて配置されている。なお、振動面１１の往復振動に大きく影響しない限りは、この隙間部分にスポンジ状や膜状などの弾性部材等を配置することもできる。
これにより、スピーカ２００では、振動面１１の裏面側から前面側に音波が回り込むことを抑制することができるので、振動面１１の前面から効率的に放音することができる。
【００３５】
なお、形状を変更した種々の端板を用いることにより、縦割り筒状の振動面１１の曲面の形状を変化させるようにしてもよい。振動面１１の形状を適宜設定することで、音指向特性を制御することができる。例えば、振動面１１の曲面の曲率を比較的小さくした場合は、円筒波のような波面を生成することができ、指向性を広くすることができる。一方、振動面１１の曲面の曲率を比較的大きくした場合は、平面波のような波面を生成することができ、指向性を狭くすることができる。
【００３６】
図６は、第３実施形態のスピーカ３００を示している。このスピーカ３００は、アクチュエータ２を取り付けるための貫通孔１７の位置が、平板状に展開したときの振動板１Ａの中心位置から一方の端部側に移動させた位置に配置される。これにより、振動板１Ａの両端部とアクチュエータ２との接続部１３が、平板状の振動板１Ａの一方の端部側に偏っている。このため、振動面１１Ｌ，１１Ｒの曲面の曲率が左右非対称となり、振動面１１Ｌ，１１Ｒの曲面の形状が互いに異なるようになる。従って、振動面１１Ｌ，１１Ｒのそれぞれから放音される音の波面の性状が互いに異なることとなり、スピーカ３００の全体の指向特性が左右非対称で、その主軸が正面方向から偏った方向になる。以上より、アクチュエータ２を振動板１Ａの中心位置に配置するだけでなく、中心位置よりずれた位置に取り付けて、振動板１Ａとアクチュエータ２との接続部１３の位置を中心位置から偏って配置することで、スピーカから放音される音の指向特性を変更することができる。
【００３７】
なお、スピーカ３００では、振動板１に形成される振動板１の両端部とアクチュエータ２とを接続するための貫通孔１７Ａが、振動板１Ａの湾曲方向（横方向：ｙ方向）に長い長孔に設けられており、アクチュエータ２を貫通孔１７Ａの範囲内で振動板１Ａの中心位置から湾曲方向にずらして配置することができる。これにより、スピーカ３００では、指向特性を左右非対称で、指向特性の主軸を法線方向から傾けた特性に変更可能となっている。
【００３８】
図７〜図９は、第４実施形態から第６実施形態のスピーカ４００〜６００を示している。このスピーカ４００〜６００では、振動板１の振動面１１を限定するための補強板１６Ａ〜１６Ｃが接合される。これらの補強板１６Ａ〜１６Ｃは、金属、プラスチック、木材等からなり、湾曲した振動面１１を形成した際に、その振動板１の弾性に抗して、その形状を保持可能に設けられるとともに、振動板１の一部の領域が振動しないように拘束する。なお、図７〜図９には現れていないが、補強板１６Ａ〜１６Ｃには、これらの補強板１６Ａ〜１６Ｃを貫通する貫通孔がそれぞれ設けられており、各貫通孔を介してアクチュエータ２と振動板１の両端部とが直接接続される。
【００３９】
図７に示す第４実施形態のスピーカ４００においては、補強板１６Ａが平板状に形成されており、この平板状の補強板１６Ａは、振動板１の中央部に谷部１２の延伸方向（ｘ方向）に沿って重ねて接合され、振動板１の中央部が補強板１６Ａにより補強されている。また、振動板１の両端部は、帯板１５により補強されている。このため、スピーカ４００では、振動板１のうち、補強板１６Ａが接合されていない部分が、振動面１１として機能する。したがって、スピーカ４００では、補強板１６Ａの形状により、指向特性及び放音領域を限定することができる。
【００４０】
また、図８に示す第５実施形態のスピーカ５００においては、補強板１６Ｂとして、図７に示す補強板１６Ａのような平板状の部分に加えて、両端部を湾曲させたガイド部６１が設けられる。このため、補強板１６Ｂを、振動板１に谷部１２の延伸方向（ｘ方向）に沿って重ねて接合すると、振動板１はガイド部６１の湾曲形状に沿って変形させられる。このように、図８に示すスピーカ５００では、振動板１の振動面１１が、補強板１６Ｂのガイド部６１Ｂにより案内された形状となり、振動板１の端部の湾曲面の形状を所定の形状に形成することができる。したがって、スピーカ５００では、補強板１６Ｂのガイド部６１Ｂの形状により、指向特性及び放音領域を限定することができる。
【００４１】
さらに、図９に示す第６実施形態のスピーカ６００においては、補強板１６Ｃとして、図８に示すスピーカ５００とは異なり、平面状の部分を有さず、湾曲させたガイド部６１Ｃのみが設けられる。この構成により、スピーカ５００のガイド部６１Ｂよりも湾曲方向の長さが更に大きく設けられる。このため、補強板１６Ｃを、振動板１に谷部１２の延伸方向（ｘ方向）に沿って重ねて接合すると、振動面１１はガイド部６１Ｃの湾曲形状に沿って更に制限された湾曲形状となり、スピーカ５００と比べて一層、指向特性及び放音領域を限定することができる。
なお、図９に示すスピーカ６００においては、補強板１６Ｃのガイド部６１Ｃが突出して設けられるが、スピーカ６００では、その非使用時には、図９（ｂ）に示すように、補強板１６Ｃを途中（中央部）で折り曲げて畳むことができる。このため、振動板１を重ねて丸め込むことで、全体として小さくまとめることができ、可搬性を大きく損なうことがない。この際、固定部３は、補強板１６Ｃから取り外して保管、運搬してもよい。
【００４２】
図１０は、第７実施形態のスピーカ７００を示している。例えば、第１実施形態のスピーカ１００では、アクチュエータ２と固定部３を、振動板１の裏側に配置していたが、アクチュエータ２と固定部３は、図１０に示すスピーカ７００のように、振動板１Ｂの表側に配置することもでき、振動板の表側と裏側のいずれにも配置することができる。
さらに、図１０に示すスピーカ７００のように、アクチュエータ２と固定部３とを振動板１Ｂの表側に配置する構成では、スピーカ１００においてアクチュエータ２と振動板１の両端部（帯板１５）とを接続する際に必要としていた貫通孔１７を必要としない。また、固定部３は、振動板１Ｂの表側に、両面テープや接着剤等で接続する等して固定することができる。なお、振動板１Ｂは、その表側に載置されたアクチュエータ２と固定部３の自重により押さえ付けられることから、振動板１Ｂと固定部３との固定は必須ではない。
【００４３】
なお、上記実施形態のスピーカ１００〜７００は、アクチュエータ２及び固定部３については、いずれも共通部品を用いて構成されており、本実施形態の種々のスピーカにおいては、振動板を交換したり、端板を付加したりすることで、種々のバリエーションを楽しむことが可能となっている。
また、本発明は、振動板１を平板状に展開した非使用時の形状と、振動板１の両端部をアクチュエータ２に接続して一対の湾曲した振動面１１，１１を形成した使用時の形状との２通りの形状に繰り返し交換可能として説明をしたが、非使用時の形状から使用時の形状に一回だけ交換できる形態も含むものとする。
【００４４】
なお、本発明は、上記実施形態に限定されるものではなく、本発明の趣旨を逸脱しない範囲において種々の変更を加えることが可能である。
例えば、振動板を往復駆動する変換部として、ボイルコイルモータを適用したが、ボイルコイルモータに代えて、圧電素子等を用いてもよい。
また、上記実施形態ではいずれも本発明をスピーカに適用したが、本発明をマイクロホンに適用することも可能である。本発明をスピーカに適用する場合は、ボイスコイルモータ等の変換部が、音声信号に基づく電気信号を振動板の振動に変換するが、本発明をマイクロホンに適用する場合も、変換部としてボイスコイルモータ等を用いることができ、その場合の変換部は、音波を受けて振動する振動板の振動を電気信号に変換する。
【符号の説明】
【００４５】
１，１Ａ，１Ｂ…振動板、２…アクチュエータ（変換部）、３…固定部、４…端板、１１，１１Ｌ，１１Ｒ…振動面、１２…谷部、１３…接続部、１５…帯板、１６…補強板、１７…貫通孔、２０…ボイスコイル、２０ａ…ボビン、２０ｂ…コイル、２１…磁石機構、２２…ダンパー、２３…磁石、２４…アウターヨーク、２５…インナーヨーク、２５ａ…ポール部、２６…磁気ギャップ、２７…磁石、１００，２００，３００…スピーカ
【図１】
2016096454.tif 000003
【図２】
2016096454.tif 000004
【図３】
2016096454.tif 000005
【図４】
2016096454.tif 000006
【図５】
2016096454.tif 000007
【図６】
2016096454.tif 000008
【図７】
2016096454.tif 000009
【図８】
2016096454.tif 000010
【図９】
2016096454.tif 000011
【図１０】
2016096454.tif 000012